(57)【要約】      （修正有）【課題】電力送信モジュールが組み込まれた照明装置が複数配置される電力電送システムにおいて、複数のセンサに内蔵されたそれぞれの電池を均一な電圧に充電する。【解決手段】各電力送信モジュールは、ＰＬＣで相互に接続されており、前記各電力送信モジュールは、他の電力送信モジュールと同期して、時間的に位相が変化する電力伝送用の搬送波を生成する同期発振器と、前記各センサからの充電電位情報を受信する受信器と、前記各センサに対して電力伝送用の搬送波を放射し、前記各センサから送信された前記各センサの充電電位情報を受信するアンテナとを有し、基準となる電力送信モジュールを除く前記複数の電力送信モジュールの前記同期発振器で生成される電力伝送用の搬送波の位相と、基準となる電力送信モジュールの前記同期発振器で生成される電力伝送用の搬送波の位相との間に位相差を有する。【選択図】図３
2014086738.tif 000002
【特許請求の範囲】
【請求項１】
それぞれ電力送信モジュールを有する複数の照明装置と、
複数のセンサとから構成される電力電送システムであって、
前記各電力送信モジュールは、ＰＬＣで相互に接続されており、
前記各電力送信モジュールは、他の電力送信モジュールと同期して、時間的に位相が変化する電力伝送用の搬送波を生成する同期発振器と、
前記各センサからの充電電位情報を受信する受信器と、
前記各センサに対して電力伝送用の搬送波を放射するとともに、前記各センサから送信された前記各センサの充電電位情報を受信するアンテナとを有し、
前記各センサは、前記各電力送信モジュールの前記アンテナから放射される電力伝送用の搬送波を受信するとともに、前記充電電位情報を送信するアンテナと、
蓄電装置と、
前記受信した前記各電力送信モジュールから放射された電力伝送用の搬送波を整流して前記蓄電装置を充電する充電手段と、
前記蓄電装置の充電電圧の電圧レベルを検出する検出手段と、
前記検出手段で検出された前記蓄電装置の充電電圧の電圧レベルに基づき前記各センサの充電電位情報を生成する充電電位情報生成手段とを有し、
前記複数の電力送信モジュールは、基準となる電力送信モジュールを有し、
前記基準となる電力送信モジュールを除く前記複数の電力送信モジュールの前記同期発振器で生成される電力伝送用の搬送波の位相と、前記基準となる電力送信モジュールの前記同期発振器で生成される電力伝送用の搬送波の位相との間に位相差を有することを特徴とする電力電送システム。
【請求項２】
前記複数の電力送信モジュールの中の任意の電力送信モジュールは、前記複数のセンサの中の１つのセンサの検出手段で検出された前記蓄電装置の充電電圧の電圧レベルが所定の電圧値未満の場合に、前記基準となる電力送信モジュールを除く前記複数の電力送信モジュールの前記同期発振器で生成される電力伝送用の搬送波の位相と、前記基準となる電力送信モジュールの前記同期発振器で生成される電力伝送用の搬送波の位相との間の位相差を変化させることを特徴とする請求項１に記載の電力電送システム。
【請求項３】
前記センサは、前記充電電位情報生成手段で生成された前記充電電位情報を定期的に前記各電力送信モジュールに送信し、
前記複数の電力送信モジュールの中の任意の電力送信モジュールは、前記複数のセンサの中の１つのセンサの検出手段で検出された前記蓄電装置の充電電圧の電圧レベルが所定の電圧値未満の場合に、前記基準となる電力送信モジュールを除く前記複数の電力送信モジュールの前記同期発振器で生成される電力伝送用の搬送波の位相と、前記基準となる電力送信モジュールの前記同期発振器で生成される電力伝送用の搬送波の位相との間の位相差を変化させることを特徴とする請求項１に記載の電力電送システム。
【請求項４】
前記各センサの前記蓄電装置に充電される充電電圧の目標充電電圧を１００％とするとき、前記複数の電力送信モジュールの中の任意の電力送信モジュールは、前記複数のセンサの中の１つのセンサの検出手段で検出された前記蓄電装置の充電電圧の電圧レベルが９０％未満のときに、前記基準となる電力送信モジュールを除く前記複数の電力送信モジュールの前記同期発振器で生成される電力伝送用の搬送波の位相と、前記基準となる電力送信モジュールの前記同期発振器で生成される電力伝送用の搬送波の位相との間の位相差を変化させることを特徴とする請求項２または請求項３に記載の電力電送システム。
【請求項５】
ネットワークを介して前記各電力送信モジュールと接続されるサーバを有することを特徴とする請求項１に記載の電力電送システム。
【請求項６】
前記サーバは、前記複数のセンサの中の１つのセンサの検出手段で検出された前記蓄電装置の充電電圧の電圧レベルが所定の電圧値未満の場合に、前記基準となる電力送信モジュールを除く前記複数の電力送信モジュールの前記同期発振器で生成される電力伝送用の搬送波の位相と、前記基準となる電力送信モジュールの前記同期発振器で生成される電力伝送用の搬送波の位相との間の位相差を変化させることを特徴とする請求項５に記載の電力電送システム。
【請求項７】
前記センサは、前記充電電位情報生成手段で生成された前記充電電位情報を定期的に前記各電力送信モジュールに送信し、
前記サーバは、前記複数のセンサの中の１つのセンサの検出手段で検出された前記蓄電装置の充電電圧の電圧レベルが所定の電圧値未満の場合に、前記基準となる電力送信モジュールを除く前記複数の電力送信モジュールの前記同期発振器で生成される電力伝送用の搬送波の位相と、前記基準となる電力送信モジュールの前記同期発振器で生成される電力伝送用の搬送波の位相との間の位相差を変化させることを特徴とする請求項５に記載の電力電送システム。
【請求項８】
前記各センサの前記蓄電装置に充電される充電電圧の目標充電電圧を１００％とするとき、前記サーバは、前記複数のセンサの中の１つのセンサの検出手段で検出された前記蓄電装置の充電電圧の電圧レベルが９０％未満のときに、前記基準となる電力送信モジュールを除く前記複数の電力送信モジュールの前記同期発振器で生成される電力伝送用の搬送波の位相と、前記基準となる電力送信モジュールの前記同期発振器で生成される電力伝送用の搬送波の位相との間の位相差を変化させることを特徴とする請求項６または請求項７に記載の電力電送システム。
【発明の詳細な説明】
【技術分野】
【０００１】
本発明は、電力電送システムに係わり、特に、屋内などの閉空間に配置されているセンサに対して無線で電力を電送するシステムに関する。
【背景技術】
【０００２】
例えば、センサネットワークでは、無線センサノードが、マルチホップネットワークを形成し、センシング情報などをワイヤレスにより収集するものである。ここで、一般に、無線センサノードは電池で駆動されるのが普通である。
一方、例えば、無線センサノード内に内蔵される電池を充電するために、無線で電力を伝送する技術が知られている。（下記、特許文献１参照）
【先行技術文献】
【特許文献】
【０００３】
【特許文献１】特表２００９−５２７１４７号公報
【発明の概要】
【発明が解決しようとする課題】
【０００４】
前述の特許文献１には、照明器具内に、ＲＦ電力送信機を組み込み、ＲＦ電力採取装置に、無線で電力を伝送することが記載されている。
一方、センサネットワークでは、複数の無線センサノードが配置されるが、各無線センサノード内に内蔵される電池は、均一な電圧に充電されることが望ましい。
しかしながら、この特許文献１には、ＲＦ電力送信機が組み込まれた照明器具が複数配置されるシステムにおいて、各照明器具に組み込まれたＲＦ電力送信機により、各照明器具から複数のセンサに内蔵されたそれぞれの電池を、均一な電圧に充電するための手法は開示されていない。
本発明は、前記従来技術の問題点を解決するためになされたものであり、本発明の目的は、電力送信モジュールが組み込まれた照明装置が複数配置される電力電送システムにおいて、複数のセンサに内蔵されたそれぞれの電池を均一な電圧に充電するための技術を提供することにある。
本発明の前記ならびにその他の目的と新規な特徴は、本明細書の記述及び添付図面によって明らかにする。
【課題を解決するための手段】
【０００５】
本願において開示される発明のうち、代表的なものの概要を簡単に説明すれば、下記の通りである。
（１）それぞれ電力送信モジュールを有する複数の照明装置と、複数のセンサとから構成される電力電送システムであって、前記各電力送信モジュールは、ＰＬＣで相互に接続されており、前記各電力送信モジュールは、他の電力送信モジュールと同期して、時間的に位相が変化する電力伝送用の搬送波を生成する同期発振器と、前記各センサからの充電電位情報を受信する受信器と、前記各センサに対して電力伝送用の搬送波を放射するとともに、前記各センサから送信された前記各センサの充電電位情報を受信するアンテナとを有し、前記各センサは、前記各電力送信モジュールの前記アンテナから放射される電力伝送用の搬送波を受信するとともに、前記充電電位情報を送信するアンテナと、蓄電装置と、前記受信した前記各電力送信モジュールから放射された電力伝送用の搬送波を整流して前記蓄電装置を充電する充電手段と、前記蓄電装置の充電電圧の電圧レベルを検出する検出手段と、前記検出手段で検出された前記蓄電装置の充電電圧の電圧レベルに基づき前記各センサの充電電位情報を生成する充電電位情報生成手段とを有し、前記複数の電力送信モジュールは、基準となる電力送信モジュールを有し、前記基準となる電力送信モジュールを除く前記複数の電力送信モジュールの前記同期発振器で生成される電力伝送用の搬送波の位相と、前記基準となる電力送信モジュールの前記同期発振器で生成される電力伝送用の搬送波の位相との間に位相差を有する。
【０００６】
（２）（１）において、前記センサは、前記充電電位情報生成手段で生成された前記充電電位情報を定期的に前記各電力送信モジュールに送信し、前記複数の電力送信モジュールの中の任意の電力送信モジュールは、前記複数のセンサの中の１つのセンサの検出手段で検出された前記蓄電装置の充電電圧の電圧レベルが所定の電圧値未満の場合に、前記基準となる電力送信モジュールを除く前記複数の電力送信モジュールの前記同期発振器で生成される電力伝送用の搬送波の位相と、前記基準となる電力送信モジュールの前記同期発振器で生成される電力伝送用の搬送波の位相との間の位相差を変化させる。
（３）（１）において、ネットワークを介して前記各電力送信モジュールと接続されるサーバを有する。
（４）（３）において、前記センサは、前記充電電位情報生成手段で生成された前記充電電位情報を定期的に前記各電力送信モジュールに送信し、前記サーバは、前記複数のセンサの中の１つのセンサの検出手段で検出された前記蓄電装置の充電電圧の電圧レベルが所定の電圧値未満の場合に、前記基準となる電力送信モジュールを除く前記複数の電力送信モジュールの前記同期発振器で生成される電力伝送用の搬送波の位相と、前記基準となる電力送信モジュールの前記同期発振器で生成される電力伝送用の搬送波の位相との間の位相差を変化させる。
【発明の効果】
【０００７】
本願において開示される発明のうち代表的なものによって得られる効果を簡単に説明すれば、下記の通りである。
本発明によれば、電力送信モジュールが組み込まれた照明装置が複数配置される電力電送システムにおいて、複数のセンサに内蔵されたそれぞれの電池を均一な電圧に充電することが可能となる。
【図面の簡単な説明】
【０００８】
【図１】本発明の実施例の電力電送システムの概略構成を示す図である。
【図２】図１に示す照明装置の形状を説明する図である。
【図３】本発明の実施例の電力電送システムに使用される電力送信モジュールの概略構成を示すブロック図である。
【図４】本発明の実施例の電力電送システムに使用される電力送信モジュールの変形例の概略構成を示すブロック図である。
【図５】本発明の実施例の電力電送システムに使用されるセンサの概略構成を示すブロック図である。
【図６】本発明の実施例の電力電送システムにおける、各センサの蓄電装置の充電電位のバラツキを解消するための処理手順の一例を説明するためのフローチャートである。
【発明を実施するための形態】
【０００９】
以下、図面を参照して本発明の実施例を詳細に説明する。
なお、実施例を説明するための全図において、同一機能を有するものは同一符号を付け、その繰り返しの説明は省略する。また、以下の実施例は、本発明の特許請求の範囲の解釈を限定するためのものではない。
［実施例］
図１に示すように、本発明の実施例の電力電送システムでは、例えば、建物内の天井面に照明装置１が複数設置される。
図２は、図１に示す照明装置１の形状を説明する図である。図２において、照明装置１は、例えば、ＬＥＤ（Light Emitting Diode）照明機器等の照明モジュールが配置される領域２と、照明装置１に組み込まれる電力送信モジュールが配置される領域３と、送風ダクト、スピーカ、センサなどが設置される領域４とから構成される。
なお、図２では、電力送信モジュールは、上下２箇所の領域に配置しているが、電力送信モジュールは、図１の上下１箇所に配置するようにしてもよい。
本発明の基本的な構成としては、例えば、屋内環境等の閉空間において、複数の照明装置１が配置され、かつ、それぞれの照明装置１内に、電力送信モジュールが配置される。
一方、各部屋には、例えば、人感センサ、温度・湿度センサ、振動センサ、警報センサ、等のセンサが複数設置される。
そして、センサには、照明装置１内に設けられた電力送信モジュールにより、無線により電力が伝送される。
【００１０】
図３は、本発明の実施例の電力電送システムに使用される電力送信モジュールの概略構成を示すブロック図である。図３において、１ａ〜１ｄは、各照明装置１内に設けられた電力送信モジュールであり、電力送信モジュール（１ａ〜１ｄ）は、ＰＬＣモジュール１０と、同期発振器１１と、増幅器１２と、共用器１３と、アンテナ１４と、送受信器１５とで構成される。
また、図３において、３０ａ〜３０ｄはセンサであり、これらのセンサ（３０ａ〜３０ｄ）は、例えば、温度センサ、湿度センサ、照度センサ、加速度センサ、歪みセンサ、あるいは、ガスセンサなどである。これらのセンサ（３０ａ〜３０ｄ）には、照明装置１内に設けられた各電力送信モジュール（１ａ〜１ｄ）により、無線により電力が伝送される。
電力送信モジュール（１ａ〜１ｄ）の各ＰＬＣモジュール１０は、電力線１６を通信回線として使用し、電力線通信（ＰＬＣ；Power Line Communication）により互いに通信している。
同期発振器１１は、他の電力送信モジュールとの間で同期を取って、センサ（３０ａ〜３０ｄ）に無線で電力を伝送するための搬送波を生成する、
増幅器１２は、同期発振器１１で生成された搬送波を増幅する。増幅器１２で増幅された搬送波は、共用器１３を介してアンテナ１４から放射される。
送受信器１５は、共用器１３とアンテナ１４を介して、データをセンサ（３０ａ〜３０ｄ）に送信するとともに、センサ（３０ａ〜３０ｄ）から送信されたデータ（センシング情報、あるいは、充電電位情報）を、アンテナ１４と共用器１３を介して受信する。
【００１１】
送受信器１５とセンサ（３０ａ〜３０ｄ）との間の無線通信の規格としては、IEEE802.11a/b/g/nの無線ＬＡＮ規格、ミリ波の無線ＬＡＮ規格、Wi-Fiの無線ＬＡＮ規格、デジタル機器用の近距離無線通信規格のＢｌｕｅｔｏｏｔｈ、Ｚｉｇｂｅｅ、微弱無線、あるいは、特定小電力が使用される。
図３は、電力送信モジュール（１ａ〜１ｄ）の中の１つにサーバ機能を持たせた場合の構成であるが、図４に示すように、サーバは外部に設けるようにしてもよい。
なお、図４は、本発明の実施例の電力電送システムに使用される電力送信モジュールの変形例の概略構成を示すブロック図である。また、図４において、２０はネットワーク、２１はサーバ、２２はゲートウェイである。
図４の構成では、アンテナ１４と共用器１３を介して、センサ（３０ａ〜３０ｄ）から送信されたデータ（センシング情報、あるいは、充電電位情報など）は、送受信器１５で受信された後、ＰＬＣモジュール１０を介してゲートウェイ２２に送られ、ゲートウェイ２２は、データをネットワーク２０を介してサーバ２１に送信する。
【００１２】
図５は、本発明の実施例の電力電送システムに使用されるセンサ３０の概略構成を示すブロック図である。
図５において、３１は通信・受電用アンテナ、３２は送受信機、３３は整流回路、３４は電圧制御装置、３５は蓄電装置、３６は充電電位検出センサ、３７はセンサ情報送信制御部である。
センサ３０は、電力送信モジュール（１ａ〜１ｄ）から送信された無線電力伝送の搬送波を、通信・受電用アンテナ３１と送受信機３２とを介して受信し、当該受信した搬送波を整流回路３３で整流し、電圧制御装置３４により電圧を制御して蓄電装置（充電池）３５を充電する。
そして、センサ情報送信制御部３７が、充電された蓄電装置３５に基づき、例えば、無線ＬＡＮ規格を用いて電力送信モジュール（１ａ〜１ｄ）との間にアクセス回線を形成し、センサ３０で検出したセンサ情報（センシング情報）を電力送信モジュール（１ａ〜１ｄ）に送信する。
また、充電電位検出用のセンサ３６が、蓄電装置３５の充電電位を検出する。送受信機３２は、充電電位検出用のセンサ３６で検出した充電電位に基づき、蓄電装置３５の目標とする電位を１００％するとき、蓄電装置３５の充電電位が何％か知らせる充電電位情報を電力送信モジュール（１ａ〜１ｄ）に送信する。
【００１３】
本実施例では、各電力送信モジュール（１ａ〜１ｄ）は、電力線通信（ＰＬＣ；Power Line Communication）により互いに通信し、他の電力送信モジュールとの間で同期を取って、センサ（３０ａ〜３０ｄ）に無線で電力を伝送するための電力伝送用の搬送波を生成している。
さらに、本実施例では、各電力送信モジュール（１ａ〜１ｄ）のそれぞれの同期発振器１１で生成される電力伝送用の搬送波の位相を時間的に変化させて、例えば、電力伝送用の搬送波の周波数を９２０ＭＨｚとするとき、搬送波の位相を５０Ｈｚで変化させ、電力伝送用の搬送波に異なる位相回転を与えることで、電力伝送において、送信ダイバーシチ効果を得ることができ、センサ（３０ａ〜３０ｄ）の蓄電装置３５を均一に充電することができる。
しかしながら、送信ダイバーシチ効果でも、各センサ（３０ａ〜３０ｄ）の蓄電装置３５の充電電位にバラツキが生じる場合が想定される。
そこで、本実施例では、各センサ（３０ａ〜３０ｄ）から送信された、各センサ（３０ａ〜３０ｄ）の蓄電装置３５の充電電位情報に基づき、各電力送信モジュール（１ａ〜１ｄ）の各同期発振器１１で同期を取って生成される電力伝送用の搬送波の位相を変化させるようにしている。
【００１４】
図６は、本発明の実施例における、各センサ（３０ａ〜３０ｄ）の蓄電装置３５の充電電位のバラツキを解消するための処理手順の一例を説明するためのフローチャートである。なお、図６の処理手順の前提として、複数の電力送信モジュール（１ａ〜１ｄ）は、１番目ないしＮ番目の番号が付与されているものとする。
始めに、ｊ＝２とする。（ステップ１０１）
次に、各センサ（３０ａ〜３０ｄ）から充電電位情報を受信したか否かを判断する（ステップ１０２）。ステップ１０２でＮｏの場合には、各センサ（３０ａ〜３０ｄ）からの充電電位情報の受信を待ち、また、ステップ１０２でＹｅｓの場合には、ステップ１０３に進む。
ここで、センサ（３０ａ〜３０ｄ）の蓄電装置３５の充電電位情報は、蓄電装置３５の目標とする電位を１００％するとき、蓄電装置３５の充電電位が、今何％かの情報である。
ステップ１０３では、各センサ（３０ａ〜３０ｄ）の中で、蓄電装置３５の充電電位が、所定値未満のものあるか否かを判断し、ステップ１０３でＮｏの場合には、各センサ（３０ａ〜３０ｄ）からの充電電位情報の受信を待ち、また、ステップ１０３でＹｅｓの場合には、ステップ１０４に進む。
ステップ１０４では、ｊ（＝２）番目の電力送信モジュールの同期発振器１１で生成する搬送波の相対位相をθとする。
このステップ１０３、ステップ１０４では、各センサ（３０ａ〜３０ｄ）の蓄電装置３５の充電電位が、所閾値（例えば、９０％、より好ましくは９５％以上）の場合はなにもせず、処理を終了する。また、各センサ（３０ａ〜３０ｄ）の何れかの蓄電装置３５の充電電位が、閾値未満の場合は、ｊ番目の電力送信モジュール（１ａ）の同期発振器１１で生成する搬送波の相対位相をθとする。
【００１５】
ここで、θは予め決定されているものとする。また、相対位相とは、１番目の電力送信モジュール（１ａ）の同期発振器１１で生成する搬送波と、ｊ番目の電力送信モジュール（１ａ）の同期発振器１１で生成する搬送波との間の相対的な位相差である。
次に、ｊ＝ｊ＋１とし（ステップ１０５）、ｊ＝Ｎか否かを判断する（ステップ１０６）。ステップ１０６でＮｏの場合には、各センサ（３０ａ〜３０ｄ）からの充電電位情報の受信を待ち、また、ステップ１０６でＹｅｓの場合には、ステップ１０７に進む。
ステップ１０７では、ｊ＝２、θ＝２＊θとし（ステップ１０７）、θ＞θoか否かを判断する（ステップ１０８）。ステップ１０８でＮｏの場合には、各センサ（３０ａ〜３０ｄ）からの充電電位情報の受信を待ち、また、ステップ１０８でＹｅｓの場合には、各センサ（３０ａ〜３０ｄ）の蓄電装置３５の充電電位のバラツキが解消できないものと判断して処理を終了する。ここで、θoは予め決定されているものとする。
なお、各センサ（３０ａ〜３０ｄ）の蓄電装置３５の充電にはある程度時間が掛かるので、各センサ（３０ａ〜３０ｄ）からの充電電位情報の受信は定期的に実行するのが好ましい。
また、前述の処理手順において、ステップ１０８のＹｅｓの場合で、処理を終了した後に、再度ステップ１０１乃至ステップ１０８の処理を実行するようにしてもよい。さらに、前述の処理は、図３の構成の場合は、サーバ機能を有するＰＬＣモジュール１０が、図４の構成の場合は、サーバ２１が実行する。
【００１６】
前述の処理手順は一例であり、各センサ（３０ａ〜３０ｄ）の蓄電装置３５の充電電位のバラツキを解消するための処理手順は種々想定される。
例えば、各電力送信モジュール（１ａ〜１ｄ）の各同期発振器１１で生成される電力伝送用の搬送波の位相は、以下の処理手順で実行することもできる。
なお、以下に説明する処理手順では、各電力送信モジュール（１ａ〜１ｄ）の各同期発振器１１で生成する搬送波の相対位相は互いに異なっているものとする。
例えば、電力送信モジュール（１ａ）の同期発振器１１で生成する搬送波の位相が「０°」とするとき、電力送信モジュール（１ｂ）の同期発振器１１で生成する搬送波の相対位相は「３０°」、電力送信モジュール（１ｃ）の同期発振器１１で生成する搬送波の相対位相は「６０°」、電力送信モジュール（１ｄ）の同期発振器１１で生成する搬送波の相対位相は「９０°」となっているものとする。
始めに、各センサ（３０ａ〜３０ｄ）から、各センサ（３０ａ〜３０ｄ）の蓄電装置３５の充電電位情報を受信する。
ここで、センサ（３０ａ〜３０ｄ）の蓄電装置３５の充電電位情報は、蓄電装置３５の目標とする電位を１００％するとき、蓄電装置３５の充電電位が、今何％かの情報である。
次に、各センサ（３０ａ〜３０ｄ）の蓄電装置３５の充電電位が、所定値（例えば、９０％、より好ましくは９５％以上）の場合はなにもせず、処理を終了する。
また、各センサ（３０ａ〜３０ｄ）の何れかの蓄電装置３５の充電電位が、閾値未満の場合は、電力送信モジュール（１ａ）の同期発振器１１で生成する搬送波の相対位相を同じ量だけ変化させる。
【００１７】
例えば、ここでの処理において、電力送信モジュール（１ａ）の同期発振器１１で生成する搬送波の位相を「０°」、電力送信モジュール（１ｂ）の同期発振器１１で生成する搬送波の相対位相を「６０°」、電力送信モジュール（１ｃ）の同期発振器１１で生成する搬送波の相対位相を「１２０°」、電力送信モジュール（１ｄ）の同期発振器１１で生成する搬送波の相対位相を「１８０°」とする。
各センサ（３０ａ〜３０ｄ）の蓄電装置３５の充電にはある程度時間が掛かるので、各センサ（３０ａ〜３０ｄ）からの充電電位情報の受信は定期的に実行するのが好ましい。
また、この場合でも、前述の処理は、図３の構成の場合は、サーバ機能を有するＰＬＣモジュール１０が、図４の構成の場合は、サーバ２１が実行する。
【００１８】
なお、前述の処理の他に、以下に説明する処理を実行するようにしてもよい。
例えば、Ｎ個の電力送信モジュール（図３、図４では、１ａ〜１ｄの４個の電力送信モジュール）の位相差のセットを一様にＬ（≧Ｎ）個用意する。（例えば、Ｎ×Ｎ次の離散フーリエ変換行列の各列ベクトルの要素間の位相差に相当）
始めに、Ｎ個の電力送信モジュールの各同期発振器１１で生成される電力伝送用の搬送波の位相を、Ｌ個の位相差セットの一つに設定し、電力伝送用の搬送波をアンテナ１４から放射する。
各センサ（図３、図４では、３０ａ〜３０ｄの４個のセンサ）は、その時の位相差セットより充電電圧の電圧レベルが閾値を超えた否かをサーバ（図３の構成の場合は、サーバ機能を有するＰＬＣモジュール１０が、図４の構成の場合は、サーバ２１）にフィードバックする。前述の処理を、Ｌ個の位相差セットの全てについて実行する。
即ち、各センサは、Ｌ個の位相差セットより充電電圧の電圧レベルが閾値を超える位相差のインデックス（Ｌ個の位相差セットの番号、例えば、１〜Ｎの番号）をサーバにフィードバックする。
さらに、各センサは、現在の充電電位の情報をサーバにフィードバックする。
サーバは、フィードバックされた情報より、全てのセンサが等電位で充電されるように各位相差セットで送電する時間幅を決定する。
前述した処理においても、各センサの蓄電装置３５の充電にはある程度時間が掛かるので、各センサからの充電電位情報の受信は定期的に実行するのが好ましい。
以上、本発明者によってなされた発明を、前記実施例に基づき具体的に説明したが、本発明は、前記実施例に限定されるものではなく、その要旨を逸脱しない範囲において種々変更可能であることは勿論である。
【符号の説明】
【００１９】
１  照明装置
１ａ〜１ｄ  電力送信モジュール
２  ＬＥＤ（Light Emitting Diode）照明機器等の照明モジュールが配置される領域
３  電力送信モジュールが配置される領域
４  送風ダクト、スピーカ、センサなどが設置される領域
１０  ＰＬＣモジュール
１１  同期発振器
１２  増幅器
１３  共用器
１４  アンテナ
１５  送受信器
２０  ネットワーク
２１  サーバ
２２  ゲートウェイ
３０，３０ａ〜３０ｄ  センサ
３１  通信・受電用アンテナ
３２  送受信機
３３  整流回路
３４  電圧制御装置
３５  蓄電装置
３６  充電電位検出センサ
３７  センサ情報送信制御部
【図１】
2014086738.tif 000003
【図２】
2014086738.tif 000004
【図３】
2014086738.tif 000005
【図４】
2014086738.tif 000006
【図５】
2014086738.tif 000007
【図６】
2014086738.tif 000008